(57)【要約】【課題】複数の情報処理装置をネットワーク接続した情報処理システムの機能構成を容易に変更可能とすることであり、より詳細には、複数の医用装置をネットワーク接続した医用システムの機能構成を容易に変更可能とする。【解決手段】本発明に係る医用システム１００によれば、制御装置１ａ〜１ｃ、画像読取装置２ａ、２ｂ、マンモ用プロセッサ３の記憶部には医用システム１００において各装置に要求される複数種類の処理機能に対応するアプリケーションソフトが予め全て記憶されている。ＪＯＢマネージャ５は、各装置に接続されると、接続元の装置が実行すべき処理機能に対応するアプリケーションソフトを指定する。各装置においては、ＪＯＢマネージャ５から指定されたアプリケーションを選択し、選択されたアプリケーションソフトに基づいて処理機能を実行する。【選択図】図１
2005293366.tif 000002
【特許請求の範囲】
【請求項１】
プログラムに従って情報処理を行う複数の情報処理装置がネットワークを介して接続された情報処理システムにおいて、
前記情報処理装置のそれぞれに、当該情報処理システムにおいて要求される複数種類の処理機能に対応する複数種類のアプリケーションプログラムを予め記憶し、
指定手段により、前記ネットワークを介して、前記複数の情報処理装置のそれぞれに対し、当該複数の情報処理装置のそれぞれが実行すべき処理機能に対応するアプリケーションプログラムを指定し、
前記指定されたアプリケーションプログラムを前記複数の情報処理装置のそれぞれが実行するように構成したことを特徴とする情報処理システム。
【請求項２】
撮影オーダ情報を生成し管理する情報管理装置と、被写体を撮影し医用画像データを生成する１以上の画像生成装置と、前記情報管理装置から撮影オーダ情報を取得し、かつ前記画像生成装置から医用画像データを取得して前記取得された撮影オーダ情報と医用画像データとを対応付ける１以上の制御装置と、がネットワークを介して接続された医用システムにおいて、
前記１以上の画像生成装置のそれぞれに、当該医用システムにおいて要求される、医用画像データの生成及び送信に係る複数種類の処理機能に対応するアプリケーションプログラムを予め記憶し、
前記１以上の制御装置のそれぞれに、当該医用システムにおいて要求される、前記情報管理装置からの撮影オーダ情報の取得、前記画像生成装置からの医用画像データの取得及び取得された撮影オーダ情報と医用画像データとの対応付けに係る複数種類の処理機能に対応するアプリケーションプログラムを予め記憶し、
前記１以上の画像生成装置及び前記１以上の制御装置と前記ネットワークを介して接続されたシステム管理装置を更に備え、
前記システム管理装置により、前記ネットワークを介して、前記１以上の画像生成装置及び／又は前記１以上の制御装置のそれぞれに対し、ぞれぞれの装置が実行すべき処理機能に対応するアプリケーションプログラムを指定し、
前記１以上の画像生成装置及び／又は前記１以上の制御装置のそれぞれが、前記指定されたアプリケーションプログラムを実行するように構成したことを特徴とする医用システム。
【請求項３】
プログラムに従って情報処理を行う複数の情報処理装置がネットワークを介して接続された情報処理システムにおける情報処理方法において、
前記情報処理装置のそれぞれに、当該情報処理システムにおいて要求される複数種類の処理機能に対応する複数種類のアプリケーションプログラムを予め記憶し、
前記ネットワークを介して、前記複数の情報処理装置のそれぞれに対し、当該複数の情報処理装置のそれぞれが実行すべき処理機能に対応するアプリケーションプログラムを指定し、
前記指定されたアプリケーションプログラムを前記複数の情報処理装置のそれぞれが実行することを特徴とする情報処理方法。
【請求項４】
撮影オーダ情報を生成し管理する情報管理装置と、被写体を撮影し医用画像データを生成する１以上の画像生成装置と、前記情報管理装置から撮影オーダ情報を取得し、かつ前記画像生成装置から医用画像データを取得して前記取得された撮影オーダ情報と医用画像データとを対応付ける１以上の制御装置と、がネットワークを介して接続された医用システムにおける情報処理方法において、
前記１以上の画像生成装置のそれぞれに、当該医用システムにおいて要求される、医用画像データの生成及び送信に係る複数種類の処理機能に対応するアプリケーションプログラムを予め記憶し、
前記１以上の制御装置のそれぞれに、当該医用システムにおいて要求される、前記情報管理装置からの撮影オーダ情報の取得、前記画像生成装置からの医用画像データの取得及び取得された撮影オーダ情報と医用画像データとの対応付けに係る複数種類の処理機能に対応するアプリケーションプログラムを予め記憶し、
前記１以上の画像生成装置及び前記１以上の制御装置と前記ネットワークを介して接続されたシステム管理装置により、前記ネットワークを介して、前記１以上の画像生成装置及び／又は前記１以上の制御装置のそれぞれに対し、ぞれぞれの装置が実行すべき処理機能に対応するアプリケーションプログラムを指定し、
前記１以上の画像生成装置及び／又は前記１以上の制御装置のそれぞれが、前記指定されたアプリケーションプログラムを実行することを特徴とする情報処理方法。
【発明の詳細な説明】
【技術分野】
【０００１】
本発明は、複数の情報処理装置をネットワーク接続した情報処理システム、より詳細には、複数の医用装置をネットワーク接続した医用システム及び情報処理方法に関する。
【背景技術】
【０００２】
近年、病院内／病院間では、複数の医用装置をネットワーク接続した医用システムが構築されるようになってきている。例えば、ＣＲ（Computed Radiography）装置を用いた医用システムにおいては、放射線撮影により輝尽性蛍光体プレートに蓄積された被写体の放射線画像情報を読み取って医用画像データを生成する医用画像読取装置、読み取られた医用画像データと撮影オーダ情報との対応付け、医用画像の表示、医用画像データへの画像処理等を行う制御装置、医用画像データを保存する画像サーバ、医用画像データに基づいて画像を記録媒体上に記録して出力するプリンタ等の複数の医用装置がネットワーク接続され、病院内の効率化が図られている。
【０００３】
このような医用システムを構成する各医用装置にはそれぞれに要求される処理機能に対応するアプリケーションプログラムがインストールされ、各医用装置は、インストールされたアプリケーションプログラムに従って医用システムにおいて個々の装置に要求される情報処理を行っている。例えば、特許文献１には、このような多数の医療機器からなるネットワークシステムにおいて、アプリケーションプログラム等のソフトウエアコンポーネントの最新版管理（バージョンアップ）を効率的に行う技術が開示されている。
【特許文献１】特開平１１−３０６０００号公報
【発明の開示】
【発明が解決しようとする課題】
【０００４】
ところで、従来、医用システム全体の機能構成の変更する場合、医用システムのハードウエア構成を変更し、医用システムを構成する各装置に要求される処理機能に対応するアプリケーションプログラムをそれぞれの装置にインストールして変更しているが、各装置へのアプリケーションプログラムのインストールは専門的な知識や技術が必要とされるため、従来、メーカのサービスマンにより行われており、非常に多くの工数がかかるものであった。そのため、医用システムの機能構成を状況に応じて臨機応変に変更することができなかった。
【０００５】
本発明の課題は、複数の情報処理装置をネットワーク接続した情報処理システムの機能構成を容易に変更可能とすることであり、より詳細には、複数の医用装置をネットワーク接続した医用システムの機能構成を容易に変更可能とすることである。
【課題を解決するための手段】
【０００６】
上記課題を解決するため、請求項１に記載の発明は、
プログラムに従って情報処理を行う複数の情報処理装置がネットワークを介して接続された情報処理システムにおいて、
前記情報処理装置のそれぞれに、当該情報処理システムにおいて要求される複数種類の処理機能に対応する複数種類のアプリケーションプログラムを予め記憶し、
指定手段により、前記ネットワークを介して、前記複数の情報処理装置のそれぞれに対し、当該複数の情報処理装置のそれぞれが実行すべき処理機能に対応するアプリケーションプログラムを指定し、
前記指定されたアプリケーションプログラムを前記複数の情報処理装置のそれぞれが実行するように構成したことを特徴としている。
【０００７】
請求項２に記載の発明は、
撮影オーダ情報を生成し管理する情報管理装置と、被写体を撮影し医用画像データを生成する１以上の画像生成装置と、前記情報管理装置から撮影オーダ情報を取得し、かつ前記画像生成装置から医用画像データを取得して前記取得された撮影オーダ情報と医用画像データとを対応付ける１以上の制御装置と、がネットワークを介して接続された医用システムにおいて、
前記１以上の画像生成装置のそれぞれに、当該医用システムにおいて要求される、医用画像データの生成及び送信に係る複数種類の処理機能に対応するアプリケーションプログラムを予め記憶し、
前記１以上の制御装置のそれぞれに、当該医用システムにおいて要求される、前記情報管理装置からの撮影オーダ情報の取得、前記画像生成装置からの医用画像データの取得及び取得された撮影オーダ情報と医用画像データとの対応付けに係る複数種類の処理機能に対応するアプリケーションプログラムを予め記憶し、
前記１以上の画像生成装置及び前記１以上の制御装置と前記ネットワークを介して接続されたシステム管理装置を更に備え、
前記システム管理装置により、前記ネットワークを介して、前記１以上の画像生成装置及び／又は前記１以上の制御装置のそれぞれに対し、ぞれぞれの装置が実行すべき処理機能に対応するアプリケーションプログラムを指定し、
前記１以上の画像生成装置及び／又は前記１以上の制御装置のそれぞれが、前記指定されたアプリケーションプログラムを実行するように構成したことを特徴としている。
【０００８】
請求項３に記載の発明は、
プログラムに従って情報処理を行う複数の情報処理装置がネットワークを介して接続された情報処理システムにおける情報処理方法において、
前記情報処理装置のそれぞれに、当該情報処理システムにおいて要求される複数種類の処理機能に対応する複数種類のアプリケーションプログラムを予め記憶し、
前記ネットワークを介して、前記複数の情報処理装置のそれぞれに対し、当該複数の情報処理装置のそれぞれが実行すべき処理機能に対応するアプリケーションプログラムを指定し、
前記指定されたアプリケーションプログラムを前記複数の情報処理装置のそれぞれが実行することを特徴としている。
【０００９】
請求項４に記載の発明は、
撮影オーダ情報を生成し管理する情報管理装置と、被写体を撮影し医用画像データを生成する１以上の画像生成装置と、前記情報管理装置から撮影オーダ情報を取得し、かつ前記画像生成装置から医用画像データを取得して前記取得された撮影オーダ情報と医用画像データとを対応付ける１以上の制御装置と、がネットワークを介して接続された医用システムにおける情報処理方法において、
前記１以上の画像生成装置のそれぞれに、当該医用システムにおいて要求される、医用画像データの生成及び送信に係る複数種類の処理機能に対応するアプリケーションプログラムを予め記憶し、
前記１以上の制御装置のそれぞれに、当該医用システムにおいて要求される、前記情報管理装置からの撮影オーダ情報の取得、前記画像生成装置からの医用画像データの取得及び取得された撮影オーダ情報と医用画像データとの対応付けに係る複数種類の処理機能に対応するアプリケーションプログラムを予め記憶し、
前記１以上の画像生成装置及び前記１以上の制御装置と前記ネットワークを介して接続されたシステム管理装置により、前記ネットワークを介して、前記１以上の画像生成装置及び／又は前記１以上の制御装置のそれぞれに対し、ぞれぞれの装置が実行すべき処理機能に対応するアプリケーションプログラムを指定し、
前記１以上の画像生成装置及び／又は前記１以上の制御装置のそれぞれが、前記指定されたアプリケーションプログラムを実行することを特徴としている。
【発明の効果】
【００１０】
請求項１、３に記載の発明によれば、プログラムに従って情報処理を行う複数の情報処理装置がネットワークを介して接続された情報処理システムにおいて、情報処理装置のそれぞれに、当該情報処理システムにおいて要求される複数種類の処理機能に対応する複数種類のアプリケーションプログラムを予め記憶し、ネットワークを介して、複数の情報処理装置のそれぞれに対し、複数の情報処理装置のそれぞれが実行すべき処理機能に対応するアプリケーションプログラムを指定し、指定されたアプリケーションプログラムを複数の情報処理装置のそれぞれが実行する。従って、予め各情報処理装置に記憶されている複数種類の処理機能に対応するアプリケーションプログラムのうち各情報処理装置が実行すべきアプリケーションプログラムを指定するだけで情報処理システムの機能構成を容易に変更することが可能となるので、従来のように、情報処理システムの機能構成を変更する毎に、メーカにより各情報処理装置が実行すべき処理機能に対応するアプリケーションプログラムを個々にインストールする煩雑な作業を行う必要がなくなる。
【００１１】
請求項２、４に記載の発明によれば、撮影オーダ情報を生成し管理する情報管理装置と、被写体を撮影し医用画像データを生成する１以上の画像生成装置と、情報管理装置から撮影オーダ情報を取得し、かつ画像生成装置から医用画像データを取得して撮影オーダ情報と医用画像データとを対応付ける１以上の制御装置と、がネットワークを介して接続された医用システムにおいて、１以上の画像生成装置のそれぞれに、当該医用システムにおいて要求される、医用画像データの生成及び送信に係る複数種類の処理機能に対応するアプリケーションプログラムを予め記憶し、１以上の制御装置のそれぞれに、当該医用システムにおいて要求される、情報管理装置からの撮影オーダ情報の取得、画像生成装置からの医用画像データの取得及び取得された撮影オーダ情報と医用画像データとの対応付けに係る複数種類の処理機能に対応するアプリケーションプログラムを予め記憶し、１以上の画像生成装置及び１以上の制御装置とネットワークを介して接続されたシステム管理装置により、ネットワークを介して、１以上の画像生成装置及び／又は１以上の制御装置のそれぞれに対し、ぞれぞれの装置が実行すべき処理機能に対応するアプリケーションプログラムを指定し、１以上の画像生成装置及び／又は１以上の制御装置のそれぞれが、指定されたアプリケーションプログラムを実行する。
【００１２】
従って、予め１以上の画像生成装置及び／又は１以上の制御装置のそれぞれに記憶されている複数種類の処理機能に対応するアプリケーションプログラムのうちぞれぞれの装置が実行すべき処理機能に対応するアプリケーションプログラムを指定するだけで医用システムの機能構成を容易に変更することが可能となるので、従来のように、医用システムの機能構成を変更する毎に、メーカにより各医用装置が実行すべき処理機能に対応するアプリケーションプログラムを個々にインストールする煩雑な作業を行う必要がなくなる。
【発明を実施するための最良の形態】
【００１３】
以下、図を参照して本発明の実施の形態を詳細に説明する。ただし、発明の範囲は、図示例に限定されない。
【００１４】
まず、本実施の形態の構成を説明する。
図１は、本実施の形態における医用システム１００のシステム構成を示す概念図である。図１に示すように、医用システム１００には、制御装置１ａ〜１ｃ、画像読取装置２ａ、２ｂ、マンモ用プロセッサ３、情報管理装置４、ＪＯＢマネージャ５、画像サーバ６、プリンタ７等がネットワークＮを介して、相互にデータが送受信可能なように接続されている。
【００１５】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。また、病院内の通信方式としては、一般的に、ＤＩＣＯＭ（Digital Image and Communications in Medicine）規格が用いられており、上述したネットワークＮ上の各装置間の通信では、ＤＩＣＯＭ  ＭＷＭ(Modality Worklist Management）やＤＩＣＯＭ  ＭＰＰＳ（Modality Performed Procedure Step）が用いられる。
【００１６】
制御装置１ａ〜１ｃは、情報管理装置４から取得された撮影オーダ情報と画像読取装置２ａ、２ｂにより読み取られた医用画像データとの対応付け、ポジショニングの確認のための医用画像の表示、医用画像データへの画像処理等を行うための装置であり、ＣＰＵ（Central Processing Unit）、ＲＡＭ（Random Access Memory）、磁気的又は光学的記憶媒体若しくは半導体メモリで構成される記憶部、ＣＲＴ（Cathode Ray Tube）・液晶ディスプレイ・プラズマディスプレイ等のモニタ、マウス・キーボード等の操作手段、ネットワークＮ上の各装置との通信を制御する通信手段等により構成されている。
【００１７】
本実施の形態において、制御装置１ａ〜１ｃの記憶部は、図２に示すように、アプリケーションソフト選択処理プログラム１０１及びアプリケーションソフト１０２〜１１２を記憶している。アプリケーションソフト１０２〜１１２は、それぞれ図２に示す機能を実現するためのアプリケーションプログラムをコンピュータで読取可能に記載したものである。制御装置１ａ〜１ｃのＣＰＵは、上述した記憶部に記憶されている各種プログラムとの協働によるソフトウエア処理により、後述するアプリケーションソフト選択処理の装置側処理（図６参照）を始めとする各種処理、アプリケーションソフト１０２〜１１２の処理機能を実行、実現する。
【００１８】
画像読取装置２ａ、２ｂは、装填されたカセッテに記録された被写体の放射線画像情報を読み取り、医用画像データを生成する画像生成装置であり、ＣＰＵ、ＲＡＭ、磁気的又は光学的記憶媒体若しくは半導体メモリで構成される記憶部、装填されたカセッテの輝尽性蛍光体シートに励起光を照射し、これによりシートから発光される輝尽光を光電変換し、得られた画像信号をＡ／Ｄ変換して、医用画像データを生成する画像読取手段、装填されたカセッテに表示された、当該カセッテを一意的に識別するためのカセッテＩＤを光学的に読み取るカセッテＩＤ読取手段、ネットワークＮ上の各装置との通信を制御する通信手段等を備えて構成されている。
【００１９】
本実施の形態において、画像読取装置２ａ、２ｂの記憶部は、図３に示すように、アプリケーションソフト選択処理プログラム２０１及びアプリケーションソフト２０２〜２０７を記憶している。アプリケーションソフト２０２〜２０７は、それぞれ図３に示す機能を実現するためのアプリケーションプログラムをコンピュータで読取可能に記載したものである。画像読取装置２ａ、２ｂのＣＰＵは、上述した記憶部に記憶されている各種プログラムとの協働によるソフトウエア処理により、後述するアプリケーションソフト選択処理の装置側処理（図６参照）を始めとする各種処理、アプリケーションソフト２０２〜２０７の処理機能を実行、実現する。
【００２０】
マンモ用プロセッサ３は、データ量が他の撮影部位に比べて大きいマンモグラフィに対して画像処理を施す装置であり、ＣＰＵ、ＲＡＭ、磁気的又は光学的記憶媒体若しくは半導体メモリで構成される記憶部、ＣＲＴ・液晶ディスプレイ・プラズマディスプレイ等のモニタ、マウス・キーボード等の操作手段、ネットワークＮ上の各装置との通信を制御する通信手段等により構成される。
【００２１】
本実施の形態において、マンモ用プロセッサ３の記憶部は、図４に示すように、アプリケーションソフト選択処理プログラム３０１及びアプリケーションソフト３０２〜３０８を記憶している。アプリケーションソフト３０２〜３０８は、それぞれ図４に示す機能を実現するためのアプリケーションプログラムをコンピュータで読取可能に記載したものである。マンモ用プロセッサ３のＣＰＵは、上述した記憶部に記憶されている各種プログラムとの協働によるソフトウエア処理により、後述するアプリケーションソフト選択処理の装置側処理（図６参照）を始めとする各種処理、アプリケーションソフト３０２〜３０８処理機能を実行、実現する。
【００２２】
情報管理装置４は、医師からの依頼を受け付けて撮影オーダ情報を発行し、当該発行された撮影オーダ情報に、その撮影オーダ情報を他の撮影オーダ情報と識別するための識別情報（以下、オーダＩＤという。）を付して管理するものである。情報管理装置４としては、ＨＩＳ（Hospital Information System；病院情報システム）、ＲＩＳ（Radiology Information System；放射線情報科情報システム）等の情報管理システムにおけるサーバや撮影オーダ情報の発行受付を行う受付端末が適用可能である。
【００２３】
ＪＯＢマネージャ５は、医用システム１００全体の機能構成を管理するシステム管理装置であり、ＣＰＵ、ＲＡＭ、磁気的又は光学的記憶媒体若しくは半導体メモリで構成される記憶部、ＣＲＴ・液晶ディスプレイ・プラズマディスプレイ等のモニタ、マウス・キーボード等の操作手段、ネットワークＮ上の各装置との通信を制御する通信手段等により構成される。ＪＯＢマネージャ５は、ＣＰＵと記憶部に記憶されているプログラムとの協働によるソフトウエア処理により、後述するアプリケーションソフト選択処理のＪＯＢマネージャ側処理（図６参照）を実行し、ネットワークＮに接続された制御装置１ａ〜１ｃ、画像読取装置２ａ、２ｂ、マンモ用プロセッサ３の各装置に予め記憶されたアプリケーションソフトから個々の装置が実行すべき処理機能に対応するアプリケーションソフトを指定することにより、医用システム１００全体の機能構成を規定する。
【００２４】
本実施の形態において、ＪＯＢマネージャ５の記憶部は、図５（ａ）〜（ｃ）に示すシステム構成設定テーブル５０１、システム構成詳細設定テーブル５０２、選択アプリケーションソフト一覧テーブル５０３を有している。
【００２５】
システム構成設定テーブル５０１は、図５（ａ）に示すように、曜日及び時間帯を示す情報（例えば、月ＡＭ、月ＰＭ、火ＡＭ、・・・）と、その曜日及び時間帯における医用システム１００のシステム構成を示す情報（例えば、構成Ａ、構成Ｂ、構成Ａ、・・・）とを対応付けて記憶している。この曜日及び時間帯毎の医用システム１００の構成は、ＪＯＢマネージャ５の操作手段を介して設定されるものであり、ユーザにより設定変更、追加、削除することも可能である。
【００２６】
システム構成詳細設定テーブル５０２は、医用システム１００のシステム構成において、制御装置１ａ〜１ｃ、画像読取装置２ａ、２ｂ、マンモ用プロセッサ３の各装置がどのような機能モードとして動作するかの詳細設定を示すテーブルであり、図５（ｂ）に示すように、医用システム１００のシステム構成を示す情報（例えば、構成Ａ、構成Ｂ、・・・）と、そのシステム構成において各装置（例えば、制御装置１ａ、制御装置１ｂ、制御装置１ｃ、・・・）に要求される機能モードを示す情報（例えば、一般モード、マンモモード、・・・）とを対応付けて記憶している。ここで、マンモグラフィは、他の一般の撮影部位と比較して高精細な画像であることが要求されるため、他の一般の撮影部位と比較して読取画素サイズが小さく、読み取られたデータ量が大きくなる。医用システム１００において、マンモモードは、このマンモグラフィに対して読取、画像処理、出力等を行うモードであり、一般モードは、マンモグラフィ以外の撮影部位の医用画像に対して読取、画像処理、出力等を行うモードである。各システム構成における各装置に要求される機能モードの設定は、ＪＯＢマネージャ５の操作手段を介して設定されるものであり、ユーザにより設定変更、追加、削除することも可能である。
【００２７】
選択アプリケーションソフト一覧テーブル５０３は、各装置が各機能モードにおいて実行すべき処理機能に対応する、選択すべきアプリケーションソフトを示すテーブルであり、図５（ｃ）に示すように、装置を示す情報（例えば、（例えば、制御装置１ａ〜１ｃ、・・・）と、機能モードを示す情報（一般モード、マンモモード、・・・）と、アプリケーションソフトを示す情報（例えば、アプリケーションソフト１０２、１０４〜１１１、・・・）とを対応付けて記憶している。
【００２８】
なお、上記各テーブルは、ＪＯＢマネージャ５において、曜日及び時間帯毎のシステム構成、各システム構成における各装置の機能モード及び各装置が各機能モードにおいて選択すべきアプリケーションソフトを管理するために設けられたテーブルの一例として示したものであり、これに限定されるものではない。
【００２９】
画像サーバ６は、画像ＤＢ（data base）を備え、画像読取装置２ａ、２ｂにより生成され、各種画像処理が施された医用画像のデータを画像ＤＢに保存し、保管された医用画像のデータをネットワークＮに接続された各種装置に配信する。
【００３０】
プリンタ７は、例えば、光熱銀塩方式の画像記録装置であり、ＪＯＢマネージャ５から入力される画像データを可視像として再生したハードコピーを出力する。
【００３１】
次に、本実施の形態の動作を説明する。
図６は、医用システム１００において実行されるアプリケーションソフト選択処理を示すフローチャートである。当該アプリケーションソフト選択処理の装置側処理は制御装置１ａ〜１ｃ、画像読取装置２ａ、２ｂ又はマンモ用プロセッサ３が起動された際に、起動された装置のＣＰＵにより実行され、ＪＯＢマネージャ側処理はＪＯＢマネージャ５のＣＰＵにより実行されるものである。以下、制御装置１ａが起動され、制御装置１ａのＣＰＵが装置側処理を実行する場合を例にとり説明する。
【００３２】
制御装置１ａが起動されると、ネットワークＮを介してＪＯＢマネージャ５に接続される（ステップＳ１）。
【００３３】
制御装置１ａから接続されると、ＪＯＢマネージャ５においては、システム構成設定テーブル５０１、システム構成詳細設定テーブル５０２及び選択アプリケーションソフト一覧テーブル５０３が参照され、接続された装置、即ち、制御装置１ａが選択すべきアプリケーションソフトが検索される（ステップＳ２）。そして、検索されたアプリケーションソフト情報がネットワークＮを介して制御装置１ａへ送信されることにより、制御装置１ａに、選択すべきアプリケーションソフトが指定される（ステップＳ３）。
【００３４】
ＪＯＢマネージャ５からアプリケーションソフトが指定されると、制御装置１ａにおいては、指定されたアプリケーションソフトが、使用するアプリケーションソフトとして選択され（ステップＳ４）、本処理は終了する。
【００３５】
以上、装置側処理を制御装置１ａが行う場合を例にとり説明したが、制御装置１ｂ、１ｃ、画像読取装置２ａ、２ｂ、マンモ用プロセッサ３の起動時においても、同様の処理が実行される。システム構成詳細設定テーブル５０２の機能モードに動作しない旨を示す情報が記憶されている場合（例えば、構成Ａにおけるマンモ用プロセッサ３）は、ステップＳ３において、指定アプリケーションソフトがない旨が通知される。
【００３６】
なお、上述のアプリケーションソフト選択処理は、制御装置１ａ〜１ｃ、画像読取装置２ａ、２ｂ、マンモ用プロセッサ３の各装置の起動時に行うこととして説明したが、所定時刻到来時、例えば、ＡＭとＰＭとの切り替え時等に上記アプリケーションソフト選択処理を実行するようにすることが望ましい。
【００３７】
制御装置１ａ〜１ｃ、画像読取装置２ａ、２ｂ、マンモ用プロセッサ３の各装置においては、アプリケーションが選択されると、選択されたアプリケーションソフトに基づいて処理機能が実行される。
【００３８】
例えば、月曜日のＡＭは、制御装置１ａ〜１ｃの全てに対してアプリケーションソフト１０２、１０４〜１１１が指定され、図７に示すように、制御装置１ａ〜１ｃは全て一般モードで機能する。即ち、制御装置１ａ〜１ｃは、情報管理装置４からマンモグラフィ以外の撮影オーダ情報を取得する機能、使用するカセッテのカセッテＩＤを登録する機能、撮影オーダ情報と読み取られた医用画像データを対応付ける機能、画像を表示する機能、医用画像データへ共通処理（例えば、固定階調処理、回転処理、反転処理等のユーザによるパラメータ設定が不可能な処理）を施す機能、医用画像データへの非共通処理（例えば、イコライゼーション処理、階調処理、周波数処理等のユーザによるパラメータ設定が可能な処理）のパラメータ設定機能、パラメータに基づく演算処理機能、処理済み画像データのプリンタ７への送信機能及び処理済み画像データの画像ＤＢへの送信機能を実行可能な状態となる。
【００３９】
また同様に、月曜日のＡＭは、画像読取装置２ａ、２ｂの全てに対してアプリケーションソフト２０２、２０３、２０５、２０７が指定され、画像読取装置２ａ、２ｂは、図７に示すように、全て一般モードで機能する。即ち、画像読取装置２ａ、２ｂは、挿入されたカセッテのカセッテＩＤを読み取る機能、カセッテからの画像読取機能（８７．５μｍ）、カセッテＩＤを登録した制御装置へカセッテＩＤ及び読み取った医用画像データ（小容量データ）を送信する機能、読取後のカセッテの残像消去及び排出機能を実行可能な状態となる。
【００４０】
また、月曜日のＡＭは、マンモ用プロセッサ３に対して指定アプリケーションソフトがない旨が通知されるので、図７に示すように、マンモ用プロセッサ３は動作せず、アプリケーションソフト３０２〜３０６の何れの機能も実行不可能な状態となる。
【００４１】
即ち、月曜日のＡＭは、図７に示すように、医用システム１００全体がマンモグラフィ以外の一般ＣＲ撮影を行うように構成される。
【００４２】
また、例えば、月曜日のＰＭは、制御装置１ａ、１ｂに対してアプリケーションソフト１０２、１０４〜１１１が指定され、制御装置１ａ、１ｂは、図８に示すように、一般モードで機能する。即ち、制御装置１ａ、１ｂは、情報管理装置４からマンモグラフィ以外の撮影オーダ情報を取得する機能、使用するカセッテのカセッテＩＤを登録する機能、撮影オーダ情報と読み取られた医用画像データを対応付ける機能、画像を表示する機能、医用画像データへ共通処理を施す機能、医用画像データへの非共通処理のパラメータ設定機能、パラメータに基づく演算処理機能、処理済み画像データのプリンタ７への送信機能及び処理済み画像データの画像ＤＢへの送信機能を実行可能な状態となる。
【００４３】
また同様に、月曜日のＰＭは、制御装置１ｃに対してアプリケーションソフト１０３〜１０８、１１０〜１１２が指定され、制御装置１ｃは、図８に示すように、マンモモードで機能する。即ち、制御装置１ｃは、情報管理装置４からマンモグラフィの撮影オーダ情報を取得する機能、使用するカセッテのカセッテＩＤを登録する機能、撮影オーダ情報と読み取られた医用画像データを対応付ける機能、画像を表示する機能、医用画像データへ共通処理を施す機能、医用画像データへの非共通処理のパラメータ設定機能、医用画像データ及びパラメータをマンモ用プロセッサへ送信する機能、処理済み画像データのプリンタ７への送信機能及び処理済み画像データの画像ＤＢへの送信機能を実行可能な状態となる。
【００４４】
また同様に、月曜日のＰＭは、画像読取装置２ａに対してアプリケーションソフト２０２、２０３、２０５、２０７が指定され、画像読取装置２ａは、図８に示すように、一般モードで機能する。即ち、画像読取装置２ａは、挿入されたカセッテのカセッテＩＤを読み取る機能、カセッテからの画像読取機能（８７．５μｍ）、カセッテＩＤを登録した制御装置へカセッテＩＤ及び読み取った医用画像データ（小容量データ）を送信する機能、読取後のカセッテの残像消去及び排出機能を実行可能な状態となる。
【００４５】
また同様に、月曜日のＰＭは、画像読取装置２ｂに対してアプリケーションソフト２０２、２０４、２０６、２０７が指定され、画像読取装置２ｂは、図８に示すように、マンモモードで機能する。即ち、画像読取装置２ｂは、挿入されたカセッテのカセッテＩＤを読み取る機能、カセッテからの画像読取機能（４３．７５μｍ）、カセッテＩＤを登録した制御装置へカセッテＩＤ及び読み取った医用画像データ（大容量データ）を送信する機能、読取後のカセッテの残像消去及び排出機能を実行可能な状態となる。
【００４６】
また同様に、月曜日のＰＭは、マンモ用プロセッサ３に対してアプリケーションソフト３０２〜３０６が指定され、マンモ用プロセッサ３は、図８に示すように、マンモモードで機能する。即ち、マンモ用プロセッサ３は、制御装置からの医用画像データ受信機能、制御装置からのパラメータ受信機能、パラメータに基づく演算処理機能、演算処理結果を送信元の制御装置へ送信する機能、画像表示機能を実行可能な状態となる。
【００４７】
即ち、月曜日のＰＭは、図８に示すように、医用システム１００を構成する制御装置１ａ、１ｂ、画像読取装置２ａはマンモグラフィ以外の一般ＣＲ撮影用として機能し、制御装置１ｃ、画像読取装置２ｂ、マンモ用コプロセッサ３はマンモグラフィ撮影用として機能し、システム全体として一般ＣＲ撮影及びマンモグラフィ撮影の双方を実施することが可能な構成となる。
【００４８】
なお、システム構成に応じて、画像読取装置からの医用画像データの送信先となる制御装置のＩＰアドレス、制御装置からの医用画像データ及びパラメータの送信先となるマンモ用プロセッサのＩＰアドレス、マンモ用プロセッサからの処理済みの画像データの送信先となる制御装置が制限される。例えば、図８においては、画像読取装置２ａの医用画像データの送信先は、制御装置１ａ、１ｂに制限され、制御装置１ａ、１ｂは医用画像データ及びパラメータをマンモ用プロセッサ３に送信不可となっている。また、画像読取装置２ｂの医用画像データの送信先は制御装置１ｃに制限され、制御装置１ｃの医用画像データ及びパラメータの送信先は、マンモ用プロセッサ３となっており、マンモ用プロセッサ３の処理済み画像データの送信先は制御装置１ｃとなっている。
【００４９】
このように、各装置がデータの送受信可能な装置のＩＰアドレスは、上述したアプリケーションソフト選択処理においてＪＯＢマネージャ５から各装置にアプリケーションソフトを指定する際、即ち、アプリケーションソフト情報を送信する際に、機能モードが同一の装置のＩＰアドレスを送信するようにして各装置に指定するようにしてもよいし、各装置間でデータ通信を行う際に、ＪＯＢマネージャ５を介して通信を行うようにし、ＪＯＢマネージャ５でデータ送信先を振り分けるようにしてもよい。
【００５０】
以上説明したように、医用システム１００によれば、制御装置１ａ〜１ｃの記憶部には、医用システム１００において制御装置１ａ〜１ｃに要求される複数種類の処理機能に対応するアプリケーションソフト１０２〜１１２が予め全て記憶され、画像読取装置２ａ、２ｂの記憶部には、医用システム１００において画像読取装置２ａ、２ｂに要求される複数種類の処理機能に対応するアプリケーションソフト２０２〜２０７が予め全て記憶され、マンモ用プロセッサ３の記憶部には、医用システム１００においてマンモ用プロセッサ３に要求される複数種類の処理機能に対応するアプリケーションソフト３０２〜３０８が予め全て記憶されている。制御装置１ａ〜１ｃ、画像読取装置２ａ、２ｂ、マンモ用プロセッサ３の各装置は、起動時にＪＯＢマネージャ５に接続し、ＪＯＢマネージャ５は、システム構成設定テーブル５０１、システム構成詳細設定テーブ５０２及び選択アプリケーションソフト一覧テーブル５０３に基づいて、接続された制御装置１ａ〜１ｃ、画像読取装置２ａ、２ｂ又はマンモ用プロセッサ３が選択すべきアプリケーションソフトを検索し、接続された装置に対して実行すべき処理機能に対応するアプリケーションソフトを指定する。各装置においては、ＪＯＢマネージャ５からアプリケーションソフトが指定されると、指定されたアプリケーションを選択し、選択されたアプリケーションソフトに基づいて処理機能を実行する。
【００５１】
従って、予め各装置に記憶されているアプリケーションソフトのうち、各装置が実行すべき処理機能に対応するアプリケーションソフトを指定するだけで医用システム１００の機能構成を変更することができ、従来のように、システムの機能構成を変更する毎に、メーカにより各装置が実行すべき処理機能に対応するアプリケーションソフトを個々にインストールする煩雑な作業を行う必要がなくなり、臨機応変にシステムの機能構成を可変とすることが可能となる。
【００５２】
例えば、マンモ検診（乳癌検診）が行われない曜日／時間帯には、医用システム１００が図７に示すシステム構成となるように、各装置のアプリケーションソフトを指定し、マンモ検診が行われる曜日／時間帯には、医用システム１００が図８に示すシステム構成となるように、各装置のアプリケーションソフトを指定して、マンモ検診の有無により、容易にシステムの機能構成を可変とすることが可能となる。
【００５３】
また、曜日／時間帯毎のシステム構成の変更やネットワークＮ上への装置を追加、削除が生じた場合においても、ＪＯＢマネージャ５のシステム構成設定テーブル５０１、システム構成詳細設定テーブル５０２及び選択アプリケーションソフト一覧テーブル５０３の変更、追加、削除のみを行えばよいので、メーカによらず、ユーザ側で臨機応変にシステムの機能構成を可変とすることができる。
【００５４】
また、処理済み画像データのプリンタへの送信及び処理済み画像データの画像ＤＢへの送信を、選択アプリケーションソフト一覧テーブル５０３の設定を変更することにより、制御装置からマンモ用プロセッサが行うように容易に変更することが可能となる。
【００５５】
なお、上述した本実施の形態における記述は、本発明に係る医用システム１００の好適な一例であり、これに限定されるものではない。
例えば、上記実施の形態においては、医用システム１００を、カセッテを用いるＣＲ装置により生成された医用画像データを処理するシステムとし、各装置のアプリケーションソフトの選択により一般ＣＲ撮影のみを行う構成と、一般ＣＲ撮影及びマンモ撮影を行う構成に変更可能なシステム構成とを変更する場合を例にとり説明したが、これに限定されない。例えば、本発明は、ＣＴ装置、ＦＰＤ、超音波診断装置等、他の画像生成装置により生成された医用画像データを処理する医用システムに対しても適用することが可能である。
【００５６】
また、各装置で使用されるアプリケーションソフトをネットワーク上のサーバに一括して記憶しておき、ＪＯＢマネージャ５が医用システム１００の機能モードに基づき、各装置にインストールされるべきアプリケーションソフトを各装置のＩＰアドレスとともに前記サーバに指定し、各装置の起動時に、各装置が当該サーバから指定されたアプリケーションソフトを取得する構成としても良い。この場合、アプリケーションソフト取得に時間は要するが、各装置の記憶部の占有領域を低減することができるので、比較的モード変更が少ない場合には有効である。
【００５７】
また、上記実施の形態においては、本発明を医用システムに適用する場合を例にとり説明したが、本発明は、医用システムに限らず、プログラムに従って情報処理を行う複数の情報処理装置がネットワークを介して接続された情報処理システムであればどのようなシステムにも適用可能である。
【００５８】
その他、本実施の形態における医用システム１００の構成部分の細部構成、及び細部動作に関しても、本発明の趣旨を逸脱することのない範囲で適宜変更可能である。
【図面の簡単な説明】
【００５９】
【図１】本発明に係る医用システム１００の全体構成を示す図である。
【図２】制御装置１ａ〜１ｃの記憶部のプログラム格納例を示す図である。
【図３】画像読取装置２ａ、２ｂの記憶部のプログラム格納例を示す図である。
【図４】マンモ用プロセッサ３の記憶部のプログラム格納例を示す図である。
【図５】（ａ）は、ＪＯＢマネージャ５の記憶部に記憶されるシステム構成設定テーブル５０１のデータ格納例を示す図、（ｂ）は、ＪＯＢマネージャ５の記憶部に記憶されるシステム構成詳細設定テーブル５０２のデータ格納例を示す図、（ｃ）は、ＪＯＢマネージャ５の記憶部に記憶される選択アプリケーションソフト一覧テーブル５０３のデータ格納例を示す図である。
【図６】医用システム１００において実行されるアプリケーションソフト選択処理を示すフローチャートである。
【図７】医用システム１００の機能構成例を示す図である。
【図８】医用システム１００の機能構成例を示す図である。
【符号の説明】
【００６０】
１００  医用システム
１ａ〜１ｃ  制御装置
２ａ、２ｂ  画像読取装置
３  マンモ用プロセッサ
４  情報管理装置
５  ＪＯＢマネージャ
６  画像サーバ
７  プリンタ
Ｎ  ネットワーク
【図１】
2005293366.tif 000003
【図２】
2005293366.tif 000004
【図３】
2005293366.tif 000005
【図４】
2005293366.tif 000006
【図５】
2005293366.tif 000007
【図６】
2005293366.tif 000008
【図７】
2005293366.tif 000009
【図８】
2005293366.tif 000010